(57)【特許請求の範囲】
【請求項１】
可撓性を有する長尺の医療用線状部材を環状に巻かれた状態で収納する収納容器であって、
略矩形状の容器底部と、
前記容器底部の周囲を囲む容器周壁部と、
を備え、
前記容器底部および前記容器周壁部の全体が薄肉の樹脂により成形されており、
前記容器周壁部のうち互いに対向する一対の容器側壁部のそれぞれが、少なくとも角部を除く部位に、容器底部から上方に離間した位置にて内側に向かって突出する保持凸部を有し、
環状に巻かれた医療用線状部材が復元力により広がった場合に、前記容器底部と前記保持凸部の間に前記医療用線状部材が保持され、
前記収納容器と同形状のもう１つの収納容器を前記収納容器の上に重ねて前記収納容器に向かって押圧することにより、前記収納容器の前記容器周壁部および前記もう１つの収納容器の容器周壁部が弾性変形して前記もう１つの収納容器の保持凸部の外側の凹部に前記収納容器の前記保持凸部が嵌合されることを特徴とする収納容器。
【請求項２】
請求項１に記載の収納容器であって、
前記容器底部が略長方形状であり、
前記一対の容器側壁部が、前記容器底部の一対の長辺上に位置する側壁部であることを特徴とする収納容器。
【請求項３】
請求項１または２に記載の収納容器であって、
前記保持凸部の上面が内側に向かうに従って前記容器底部に近づく方向に傾斜している、または、前記容器底部の前記一対の容器側壁部近傍の部位の下面が外側に向かうに従って上方に傾斜していることを特徴とする収納容器。
【請求項４】
請求項１ないし３のいずれかに記載の収納容器であって、
前記容器周壁部が、外側または内側に向かって突出するとともに上下方向に伸びる薄肉構造である側部凹凸構造を有し、
前記収納容器に対して前記もう１つの収納容器を所定の方向に向けて前記収納容器の前記容器周壁部の４辺と前記もう１つの収納容器の容器底部の４辺とを重ねて前記もう１つの収納容器を前記収納容器に向けて押圧した際に、前記もう１つの収納容器の前記保持凸部の外側の凹部に前記収納容器の前記保持凸部が嵌合されるとともに前記もう１つの収納容器の側部凹凸構造の外側に前記収納容器の前記側部凹凸構造が重なり、
前記収納容器に対して前記もう１つの収納容器を前記所定の方向とは異なる方向に向けて前記収納容器の前記容器周壁部の前記４辺と前記もう１つの収納容器の前記容器底部の前記４辺とを重ねた際に、前記もう１つの収納容器の前記側部凹凸構造の下部と前記収納容器の前記容器周壁部の上部とが当接することを特徴とする収納容器。
【請求項５】
請求項１ないし４のいずれかに記載の収納容器であって、
前記容器周壁部のうち互いに対向する他の一対の容器側壁部のそれぞれが、少なくとも角部を除く部位に内側に向かって突出する保持凸部を有することを特徴とする収納容器。
【請求項６】
請求項１ないし５のいずれかに記載の収納容器であって、
前記容器底部が、中央部から４つの角部に向かって伸びる４つの底部溝を有することを特徴とする収納容器。
【請求項７】
使い捨て医療用品セットであって、
請求項１ないし６のいずれかに記載の収容容器と、
環状に巻かれた状態にて前記収容容器に収容された可撓性を有する長尺の医療用線状部材と、
を備えることを特徴とする使い捨て医療用品セット。
【発明の詳細な説明】
【技術分野】
【０００１】
本発明は、可撓性を有する長尺の医療用線状部材を環状に巻かれた状態で収納する収納容器、および、当該収納容器を備える使い捨て医療用品セットに関する。
【背景技術】
【０００２】
従来より、手術室や病室等の医療施設内において医療処置が行われる際には、ガーゼ、メス、カテーテル、ガイドワイヤ等の様々な医療用品が使用されおり、感染防止等の衛生管理の質の向上の観点から、これらの医療用品に使い捨てのものが利用されることが多い。また、近年、医療処置の内容に合わせて用意された複数の医療用品を梱包した使い捨て医療用品セットが使用されており、これにより、医療処置前に行われる医療用品の準備作業の簡素化、および、これらの医療用品の在庫管理の簡素化が図られている。
【０００３】
例えば、特許文献１は、カテーテルを用いた手術に利用するための医療用器具を収容する医療用器具封入用トレイに関するものであり、医療用器具封入用トレイは、側壁部が略接した状態にて固定された２つのトレイを有する。特許文献１の医療用器具封入用トレイでは、一方のトレイの底部に等ピッチにて環状に配列された複数の突起が形成されており、複数の突起の内側に環状に巻かれたガイドワイヤが収容される。また、カテーテルは、２つのトレイにまたがって略Ｊ字状に湾曲した状態で収容され、カテーテルの先端はもう一方の端部が配置されるトレイとは異なるトレイに配置される。カテーテルは、上記一方のトレイ内において、複数の突起の外側にて複数の突起から離間した位置に配置される。
【０００４】
また、非特許文献１では、平面視において略円形のガイドワイヤトレイが開示されており、当該ガイドワイヤトレイは硬質プラスチックにより形成されている。非特許文献１のガイドワイヤトレイの内側面には、内側に向かって突出する複数のツメ（凸部）が設けられており、これらのツメにより、環状に巻かれてガイドワイヤトレイ内に収容されたガイドワイヤが復元力（すなわち、曲げに対する弾性力）により広がってガイドワイヤトレイの外部へとはみ出してしまうことが防止される。
【特許文献１】特開２００５−２８７７９６号公報
【非特許文献１】“アンギオ用キット”、［online］、川本産業株式会社、３頁、［平成２０年５月２８日検索］、インターネット＜http://www.kawamoto-sangyo.co.jp/products/pdf/syujyutu_p01.pdf＞
【発明の開示】
【発明が解決しようとする課題】
【０００５】
ところで、特許文献１の封入用トレイでは、カテーテルが略Ｊ字状に湾曲された状態で２つのトレイにまたがって収容されるため、封入用トレイ全体が大きくなってしまう。また、湾曲されたカテーテルの復元力が大きい場合、カテーテルが封入用トレイの内側面に沿ってずり上がって封入用トレイの外部へとはみ出してしまうおそれがある。
【０００６】
非特許文献１のガイドワイヤトレイでは、環状に巻かれたガイドワイヤが全周に亘ってガイドワイヤトレイの円筒状の内側面に沿う状態で収容されるため、使用者がガイドワイヤを把持することが難しく、ガイドワイヤトレイからのガイドワイヤの取り出しが困難となる。特に、複数のガイドワイヤがガイドワイヤトレイに収容されている場合、所望のガイドワイヤのみを選択的に取り出すことが非常に困難である。
【０００７】
本発明は、上記課題に鑑みなされたものであり、可撓性を有する長尺の医療用線状部材を環状に巻かれた状態で収納する収納容器において、医療用線状部材の収容容器からの取り出しを容易とすることを目的としている。
【課題を解決するための手段】
【０００８】
請求項１に記載の発明は、可撓性を有する長尺の医療用線状部材を環状に巻かれた状態で収納する収納容器であって、略矩形状の容器底部と、前記容器底部の周囲を囲む容器周壁部とを備え、前記容器底部および前記容器周壁部の全体が薄肉の樹脂により成形されており、前記容器周壁部のうち互いに対向する一対の容器側壁部のそれぞれが、少なくとも角部を除く部位に、容器底部から上方に離間した位置にて内側に向かって突出する保持凸部を有し、環状に巻かれた医療用線状部材が復元力により広がった場合に、前記容器底部と前記保持凸部の間に前記医療用線状部材が保持され、前記収納容器と同形状のもう１つの収納容器を前記収納容器の上に重ねて前記収納容器に向かって押圧することにより、前記収納容器の前記容器周壁部および前記もう１つの収納容器の容器周壁部が弾性変形して前記もう１つの収納容器の保持凸部の外側の凹部に前記収納容器の前記保持凸部が嵌合される。
【０００９】
請求項２に記載の発明は、請求項１に記載の収納容器であって、前記容器底部が略長方形状であり、前記一対の容器側壁部が、前記容器底部の一対の長辺上に位置する側壁部である。
【００１１】
請求項３に記載の発明は、請求項１または２に記載の収納容器であって、前記保持凸部の上面が内側に向かうに従って前記容器底部に近づく方向に傾斜している、または、前記容器底部の前記一対の容器側壁部近傍の部位の下面が外側に向かうに従って上方に傾斜している。
【００１２】
請求項４に記載の発明は、請求項１ないし３のいずれかに記載の収納容器であって、前記容器周壁部が、外側または内側に向かって突出するとともに上下方向に伸びる薄肉構造である側部凹凸構造を有し、前記収納容器に対して前記もう１つの収納容器を所定の方向に向けて前記収納容器の前記容器周壁部の４辺と前記もう１つの収納容器の容器底部の４辺とを重ねて前記もう１つの収納容器を前記収納容器に向けて押圧した際に、前記もう１つの収納容器の前記保持凸部の外側の凹部に前記収納容器の前記保持凸部が嵌合されるとともに前記もう１つの収納容器の側部凹凸構造の外側に前記収納容器の前記側部凹凸構造が重なり、前記収納容器に対して前記もう１つの収納容器を前記所定の方向とは異なる方向に向けて前記収納容器の前記容器周壁部の前記４辺と前記もう１つの収納容器の前記容器底部の前記４辺とを重ねた際に、前記もう１つの収納容器の前記側部凹凸構造の下部と前記収納容器の前記容器周壁部の上部とが当接する。
【００１３】
請求項５に記載の発明は、請求項１ないし４のいずれかに記載の収納容器であって、前記容器周壁部のうち互いに対向する他の一対の容器側壁部のそれぞれが、少なくとも角部を除く部位に内側に向かって突出する保持凸部を有する。
【００１４】
請求項６に記載の発明は、請求項１ないし５のいずれかに記載の収納容器であって、前記容器底部が、中央部から４つの角部に向かって伸びる４つの底部溝を有する。
【００１５】
請求項７に記載の発明は、使い捨て医療用品セットであって、請求項１ないし６のいずれかに記載の収容容器と、環状に巻かれた状態にて前記収容容器に収容された可撓性を有する長尺の医療用線状部材とを備える。
【発明の効果】
【００１６】
本発明では、医療用線状部材の収容容器からの取り出しを容易とすることができる。また、複数の収納容器を重ねた際の体積を小さくすることができる。
【発明を実施するための最良の形態】
【００１７】
図１は、本発明の一の実施の形態に係る使い捨て医療用品セット６を示す平面図である。図１に示すように、使い捨て医療用品セット６は、可撓性を有する長尺の複数の医療用線状部材６１（例えば、カテーテルやガイドワイヤ）、および、医療用線状部材６１を含む様々な医療用品が収容される収容容器である医療用使い捨てトレイ１（以下、単に「トレイ１」という。）を備える。
【００１８】
図１では、図示の都合上、トレイ１に収容される複数の医療用品のうち未使用の医療用線状部材６１のみを示し、医療用線状部材６１を除く他の医療用品の図示を省略している。また、トレイ１に収容される医療用品をトレイ１と共に梱包する包装部材の図示も省略している。使い捨て医療用品セット６では、複数の医療用線状部材６１はそれぞれ、環状に巻かれた状態でトレイ１内に収容されており、各医療用線状部材６１は、その復元力により広がらないように固定部品等により束ねられている。
【００１９】
図２は、トレイ１を示す平面図であり、図３ないし図６はそれぞれ、トレイ１を図２中のＡ−Ａ、Ｂ−Ｂ、Ｃ−ＣおよびＤ−Ｄの位置にて切断した断面図である。また、図７は、トレイ１を図２中のＥ−Ｅの位置にて切断した部分断面図である。図３ないし図７では、図示の都合上、トレイ１の断面を実線のみにて示す。
【００２０】
図２に示すように、トレイ１は、平面視において略矩形状（本実施の形態では、略長方形状）の容器底部１１、および、容器底部１１の周囲を囲む容器周壁部１２を備え、容器底部１１および容器周壁部１２の全体は薄肉の樹脂により一体的に成形されている。トレイ１は、例えばシート成型により形成される。トレイ１は、容器底部１１の各辺の長さがトレイ１の深さよりも大きい浅底型となっており、平坦な場所（例えば、手術室内において医療用品が載置されるワゴン）に安定して載置することができる。
【００２１】
容器周壁部１２は、容器底部１１の一対の長辺上に位置する側壁部である一対の容器側壁部１２１（以下、「第１容器側壁部１２１」という。）、および、容器底部１１の一対の短辺上に位置する側壁部である他の一対の容器側壁部１２２（以下、「第２容器側壁部１２２」という。）を備える。
【００２２】
トレイ１では、図２および図３に示すように、容器周壁部１２のうち互いに対向する一対の第１容器側壁部１２１のそれぞれが、トレイ１の内側に向かって（すなわち、他方の第１容器側壁部１２１に向かって）突出する２つの保持凸部１２３を有し、図２および図４に示すように、互いに対向する一対の第２容器側壁部１２２のそれぞれが、トレイ１の内側に向かって（すなわち、他方の第２容器側壁部１２２に向かって）突出する２つの保持凸部１２４を有する。図３および図４に示すように、各保持凸部１２３，１２４の上面は、トレイ１の内側に向かうに従って容器底部１１に近づく方向に傾斜している。また、各保持凸部１２３，１２４の下面は、トレイ１の内側に向かうに従って容器底部１１から離れる方向に傾斜しており、その下端縁は容器底部１１から上方に離間している。
【００２３】
図２に示すように、第１容器側壁部１２１では、両側の角部（すなわち、一対の第２容器側壁部１２２との接続部）およびその近傍を除く部位に２つの保持凸部１２３が水平方向に離間して配置されており、２つの保持凸部１２３の間には、図２および図５に示すように、上下方向に伸びる凹部である側部溝１２５が設けられる。また、第２容器側壁部１２２においても同様に、両側の角部およびその近傍を除く部位に２つの保持凸部１２４が水平方向に離間して配置されており、２つの保持凸部１２４の間には、図２および図６に示すように、上下方向に伸びる凹部である側部溝１２５が設けられる。上述のように、第１容器側壁部１２１および第２容器側壁部１２２は薄肉構造を有するため、各側部溝１２５の外側（すなわち、トレイ１の外側における第１容器側壁部１２１および第２容器側壁部１２２の側部溝１２５に対応する部位）は凸部となっている。
【００２４】
容器底部１１は、図２、図５および図６に示すように、中央部に配置されるとともに平面視において円形である円形凹部１２６を有し、図２ないし図６に示すように、中央部の円形凹部１２６から容器周壁部１２（すなわち、第１容器側壁部１２１および第２容器側壁部１２２）へと放射状に伸びる複数（本実施の形態では、８つ）の底部溝１２７を有する。円形凹部１２６および底部溝１２７の外側（すなわち、トレイ１の外側における容器底部１１の円形凹部１２６および底部溝１２７に対応する部位）は、側部溝１２５の外側と同様に凸部となっている。図５および図６に示すように、各底部溝１２７は円形凹部１２６よりも深くなっており、各底部溝１２７の外側の凸部は、円形凹部１２６の外側の凸部よりも下側への突出量が大きい。
【００２５】
図２に示すように、８つの底部溝１２７のうち４つの底部溝１２７は、中央部の円形凹部１２６から４つの角部に向かって伸びており、各角部近傍において幅が広がっている。また、他の４つの底部溝１２７は、円形凹部１２６から第１容器側壁部１２１および第２容器側壁部１２２に向かって伸びて４つの側部溝１２５にそれぞれ連続する。
【００２６】
図２ないし図６に示すように、容器底部１１の外周部１１１（すなわち、一対の第１容器側壁部１２１近傍の部位、および、一対の第２容器側壁部１２２近傍の部位）の下面は、外側に向かうに従って上方に傾斜している。
【００２７】
容器周壁部１２は、図２および図７に示すように、４つの角部のそれぞれに、トレイ１の外側に向かって突出するとともに上下方向に伸びる薄肉構造である凹部を有し、４つの凹部の上下方向の長さ、並びに、上下方向に垂直な方向の幅および深さは互いに等しい。また、当該凹部の下端部は、保持凸部１２３，１２４の上端縁よりも下方に位置する。以下の説明では、各角部の上記凹部およびその近傍の部位（すなわち、当該凹部を基準とした場合に当該凹部の両側にてトレイ１の内側に向かって突出している凸部と捉えることができる部位）を側部凹凸構造１２８という。
【００２８】
図２中の左側の２つの側部凹凸構造１２８の凹部の位置は、第１容器側壁部１２１よりも第２容器側壁部１２２に近い位置とされ、右側の２つの側部凹凸構造１２８の凹部の位置は、第２容器側壁部１２２よりも第１容器側壁部１２１に近い位置とされる。したがって、トレイ１を図２に示す向きから上下方向を向く中心軸を中心として１８０°回転させた場合、同じ位置にある角部では、回転の前後において側部凹凸構造１２８の凹部の位置が異なることとなる。例えば、図２中の左上の角部では、回転前の姿勢において側部凹凸構造１２８の凹部は第２容器側壁部１２２に近い位置に位置するが、回転後の姿勢においては、側部凹凸構造１２８の凹部は第１容器側壁部１２１に近い位置に位置することとなる。トレイ１では、図２中の上側の２つの角部における容器周壁部１２の上端のフランジ部を図２中の下側の２つの角部のフランジ部よりも小さくすることにより、トレイ１の上記中心軸を中心とする周方向の向きが使用者に容易に視認可能とされている。すなわち、図２中の上側の２つの角部のフランジ部は、トレイ１の向きを視認するための目印の役割を果たしており、以下の説明では、当該２つの角部のフランジ部を目印１２９という。
【００２９】
図１に示す使い捨て医療用品セット６が使用される際には、トレイ１内に収容されている複数の医療用線状部材６１や他の医療用品が取り出された後、トレイ１内に生理食塩水が注入される。続いて、各医療用線状部材６１を束ねる固定部品等が取り外され、環状に巻かれた状態の各医療用線状部材６１がトレイ１内に再び収容されて生理食塩水に浸漬される。
【００３０】
環状に巻かれた医療用線状部材６１は、その復元力（すなわち、曲げに対する弾性力）により図８に示す容器底部１１に沿って略円状に広がって一対の第１容器側壁部１２１と接し、さらに第１容器側壁部１２１に平行な方向に広がって略楕円状となる。医療用線状部材６１は、容器底部１１と一対の第１容器側壁部１２１の保持凸部１２３との間に保持され、復元力が大きい医療用線状部材６１は、一対の第２容器側壁部１２２に接するまで広がって容器底部１１と第２容器側壁部１２２の保持凸部１２４との間においても保持される。
【００３１】
次に、使用者により必要な医療用線状部材６１が把持されてトレイ１から取り出される。トレイ１では、容器底部１１が略矩形状とされているため、容器底部１１上にて略楕円状に広がった医療用線状部材６１は、少なくとも４つの角部近傍において容器周壁部１２から離間している。このため、使用者が４つの角部のいずれかにて医療用線状部材６１を容易に把持することができ、これにより、医療用線状部材６１のトレイ１からの取り出しが容易とされる。また、容器底部１１が、中央部から４つの角部に向かって伸びる４つの底部溝１２７を有することにより、トレイ１の角部における使用者による医療用線状部材６１の把持をさらに容易とすることができ、医療用線状部材６１のトレイ１からの取り出しがより容易とされる。
【００３２】
トレイ１では、容器底部１１が略長方形状とされることにより、図８に示すように、復元力が大きい医療用線状部材６１は、復元力が小さい医療用線状部材６１に比べて容器底部１１の長辺に平行な方向（すなわち、第１容器側壁部１２１に平行な方向）に大きく広がる。換言すれば、撓みに対する復元力が異なる（すなわち、可撓性が異なる）複数種類の医療用線状部材６１では、復元力の差により容器底部１１の長辺に平行な方向の径（長径）が異なるため、第２容器側壁部１２２近傍においてこれら複数の医療用線状部材６１が部分的に重ならない部位が存在する。これにより、使用者がトレイ１に収容されている複数種類の医療用線状部材６１から、所望の医療用線状部材６１のみを容易に選択して把持することができ、所望の医療用線状部材６１の選択的な取り出しが容易に実現される。
【００３３】
上述のように、図２に示すトレイ１では、薄肉構造の容器周壁部１２において、各第１容器側壁部１２１に２つの保持凸部１２３が設けられ、２つの保持凸部１２３の間に外側に突出する側部溝１２５が形成される。また、各第２容器側壁部１２２に２つの保持凸部１２４が設けられ、２つの保持凸部１２４の間に外側に突出する側部溝１２５が形成される。これにより、容器周壁部１２の強度が向上され、トレイ１内の生理食塩水の重量等による容器周壁部１２の変形を抑制することができる。
【００３４】
薄肉構造の容器底部１１では、放射状に配列された複数の底部溝１２７が設けられることにより容器底部１１の強度が向上され、これにより、トレイ１内の生理食塩水の重量等による容器底部１１の変形を抑制することができる。また、複数の底部溝１２７の外側の凸部が円形凹部１２６の外側の凸部よりも下側への突出量が大きいため、容器底部１１が変形した場合であっても、複数の底部溝１２７の下面がワゴンの載置面に当接し、円形凹部１２６の下面のみが当該載置面に当接することが防止される。その結果、トレイ１がワゴン上で滑ったり回転してしまうことが防止される。
【００３５】
医療処置が終了し、トレイ１内の生理食塩水が排出される際には、トレイ１では、保持凸部１２３，１２４が、容器周壁部１２において少なくとも角部を除く部位に設けられることにより、一の角部を下側に向けて当該角部からトレイ１内の生理食塩水を容易に排出することができる。
【００３６】
生理食塩水の排出が終了し、トレイ１が廃棄される際には、医療処置に複数の使い捨て医療用品セット６が利用された場合、複数のトレイが重ねられて廃棄される。例えば、２つの使い捨て医療用品セット６が医療処置に利用された場合、図９．Ａの断面図に示すように、トレイ１上にトレイ１と同形状のもう１つのトレイ（以下、「トレイ１ａ」という。）が重ねられる。このとき、トレイ１ａは、トレイ１に対して同方向に向けられ（すなわち、トレイ１の２つの目印１２９（図２参照）にトレイ１ａの２つの目印が重なる方向に向けられ）、トレイ１ａの容器底部１１の４辺がトレイ１の容器周壁部１２の４辺に重ねられる。また、平面視においてトレイ１の各角部の側部凹凸構造１２８（図２参照）にトレイ１ａの各角部の側部凹凸構造がと重なるとともに、トレイ１ａの側部凹凸構造の下部の外側にトレイ１の側部凹凸構造１２８の上部が重なり、トレイ１の第１容器側壁部１２１の保持凸部１２３の上面に容器底部１１の外周部１１１の下面が当接する（図４に示す第２容器側壁部１２２の保持凸部１２４においても同様）。
【００３７】
そして、トレイ１ａがトレイ１に向けて下向きに押圧されることにより、トレイ１の容器周壁部１２、並びに、トレイ１ａの容器底部１１および容器周壁部１２が弾性変形し、図９．Ｂに示すように、トレイ１ａの第１容器側壁部１２１の保持凸部１２３の外側の凹部にトレイ１の第１容器側壁部１２１の保持凸部１２３が嵌合する。また、トレイ１ａの第２容器側壁部の保持凸部の外側の凹部にトレイ１の第２容器側壁部１２２の保持凸部１２４（図４参照）が嵌合し、図９．Ｃに示すように、トレイ１ａの各角部の側部凹凸構造１２８ａの外側にはトレイ１の側部凹凸構造１２８が重なる。
【００３８】
このように、トレイ１の保持凸部１２３，１２４がトレイ１ａの保持凸部の外側の凹部に嵌合するまで内側のトレイ１ａを外側のトレイ１内に押し込むことにより、複数のトレイの廃棄時の体積を小さくすることができるとともに複数のトレイの運搬等の取り扱いを容易とすることができる。
【００３９】
トレイ１では、保持凸部１２３，１２４の上面が内側に向かうに従って容器底部１１に近づく方向に傾斜する傾斜面とされることにより、トレイ１ａをトレイ１に押し込む際に、トレイ１の保持凸部１２３，１２４が容易に弾性変形する。このため、内側のトレイ１ａを外側のトレイ１に容易に押し込むことができる。また、トレイ１ａの容器底部１１の外周部１１１の下面が外側に向かうに従って上方に傾斜する傾斜面とされることにより、トレイ１ａをトレイ１に押し込む際に、トレイ１ａの容器底部１１が容易に弾性変形する。このため、内側のトレイ１ａを外側のトレイ１にさらに容易に押し込むことができる。なお、トレイ１，１ａでは、保持凸部１２３，１２４の上面、および、容器底部１１の外周部１１１の下面のいずれか一方のみが傾斜面とされる場合であっても、上記と同様に、内側のトレイ１ａを外側のトレイ１に容易に押し込むことが可能とされる。
【００４０】
一方、トレイ１の製造途上の段階やトレイ１への未使用の医療用品の収容途上（すなわち、使い捨て医療用品セット６の製造途上）の段階等において複数のトレイが重ねられる場合には、トレイ１と同形状のトレイ１ａが、図２に示す向きから上下方向を向く中心軸を中心として１８０°回転した状態でトレイ１上に載置される。すなわち、トレイ１ａは、図１０．Ａに示すように、トレイ１ａの目印１２９ａがトレイ１の目印１２９と重ならない向きであって廃棄時にトレイ１，１ａを重ねる際にトレイ１ａが向く方向とは異なる方向を向いた状態で、容器底部１１の４辺をトレイ１の容器周壁部１２の４辺に重ねつつトレイ１上に載置される。
【００４１】
図１０．Ｂは、図１０．Ａ中のＦ−Ｆの位置にてトレイ１，１ａを切断した断面図である。図１０．Ａに示すように、各角部では、トレイ１ａの側部凹凸構造１２８ａはトレイ１の側部凹凸構造１２８と平面視において重なっておらず、図１０．Ｂに示すように、トレイ１ａの側部凹凸構造１２８ａの下部とトレイ１の容器周壁部１２の上部とが当接する。これにより、内側のトレイ１ａが外側のトレイ１に押し込まれてしまうことが防止され、積み重ねられた複数のトレイから１つのトレイを機械等により容易に保持して取り出すことができる。その結果、トレイの製造効率や使い捨て医療用品セットの製造効率を向上することができる。
【００４２】
また、トレイ１，１ａを図１０．Ａに示すように重ねた場合に、トレイ１ａの容器底部１１がトレイ１の保持凸部１２３，１２４の上面から離間していることにより、トレイ１ａに下向きの荷重が加えられた場合であっても、トレイ１ａによる押圧により保持凸部１２３，１２４が押しつぶされてしまうことを防止することができる。さらには、容器周壁部１２に目印１２９，１２９ａが設けられることにより、トレイの製造時や廃棄時に複数のトレイを所望の方向を向けて重ねることが容易とされる。
【００４３】
図１に示す使い捨て医療用品セット６では、トレイ１の容器底部１１が略矩形状とされることにより、容器底部が略円形とされるトレイに比べ、様々な医療用品をトレイ１内に効率良く収容することができる。
【００４４】
以上、本発明の実施の形態について説明してきたが、本発明は上記実施の形態に限定されるものではなく、様々な変更が可能である。
【００４５】
例えば、側部凹凸構造１２８は、トレイ１の内側に向かって突出するとともに上下方向に伸びる薄肉構造である凸部、および、その近傍の部位とされてもよい。また、側部凹凸構造１２８は、必ずしも４つの角部に設けられる必要はなく、３つ以下の角部に設けられてもよい。あるいは、側部凹凸構造１２８は容器周壁部１２の角部以外の部位に設けられてもよい。
【００４６】
トレイ１の容器周壁部１２では、保持凸部１２３は各第１容器側壁部１２１の少なくとも角部を除く部位に設けられていればよく、例えば、第１容器側壁部１２１の両側の角部を除く部位にて水平方向に伸びる１つの保持凸部１２３が各第１容器側壁部１２１に設けられてもよい。第２容器側壁部１２２の保持凸部１２４も同様に、第２容器側壁部１２２の少なくとも角部を除く部位に設けられていればよい。
【００４７】
トレイ１では、容器底部１１の一対の長辺上に位置する一対の第１容器側壁部１２１のみに保持凸部が設けられてもよい。ただし、一対の第１容器側壁部１２１および一対の第２容器側壁部１２２の両方に保持凸部１２３，１２４が設けられることにより、トレイ１に収容された医療用線状部材６１が復元力によりトレイ１の外部にはみ出してしまうことがより確実に防止される。また、容器底部１１は、略矩形状とされていればよく、例えば略正方形状とされてもよい。
【図面の簡単な説明】
【００４８】
【図１】一の実施の形態に係る使い捨て医療用品セットの平面図である。
【図２】トレイの平面図である。
【図３】トレイの断面図である。
【図４】トレイの断面図である。
【図５】トレイの断面図である。
【図６】トレイの断面図である。
【図７】トレイの部分断面図である。
【図８】トレイの平面図である。
【図９．Ａ】重ねられた２つのトレイの断面図である。
【図９．Ｂ】重ねられた２つのトレイの断面図である。
【図９．Ｃ】重ねられた２つのトレイの部分断面図である。
【図１０．Ａ】重ねられた２つのトレイの平面図である。
【図１０．Ｂ】重ねられた２つのトレイの部分断面図である。
【符号の説明】
【００４９】
１，１ａ    トレイ
６    使い捨て医療用品セット
１１    容器底部
１２    容器周壁部
６１    医療用線状部材
１２１    第１容器側壁部
１２２    第２容器側壁部
１２３，１２４    保持凸部
１２７    底部溝
１２８，１２８ａ    側部凹凸構造
【図１】
0005249641.tif 000002
【図２】
0005249641.tif 000003
【図３】
0005249641.tif 000004
【図４】
0005249641.tif 000005
【図５】
0005249641.tif 000006
【図６】
0005249641.tif 000007
【図７】
0005249641.tif 000008
【図８】
0005249641.tif 000009
【図９．Ａ】
0005249641.tif 000010
【図９．Ｂ】
0005249641.tif 000011
【図９．Ｃ】
0005249641.tif 000012
【図１０．Ａ】
0005249641.tif 000013
【図１０．Ｂ】
0005249641.tif 000014